(57)【要約】【課題】全体をコンパクトに構成しつつ、取付け孔を長くとることができる結束バンドを提供する。【解決手段】結束バンド１は、バンド本体１０の長手方向に配設されたコード支持部１１と、コード支持部１１の幅方向の両側に配設されて長手方向に延びる２個のコード押さえ部１２と、コード支持部１１及び２個のコード押さえ部１２の間に設けられて長手方向に延びるスリット状の２個の取付け孔１３とを有し、コード押さえ部１２の取付け孔１３との境界に位置する内周縁１２ａ上の次の３点、基準線Ｍ２上の点Ａ、最も係合部材１４に近い点Ｂ、点Ａと点Ｂとの間に位置する点Ｃから、それぞれ基準線Ｍ２に平行にとった中心線Ｍ１までの距離ｘを、この順にｘａ、ｘｂ、ｘｃとすると、これらの値が、      ｘａ≧ｘｃ≧ｘｂ（ただし、ｘａ≠ｘｂ）を満たす。【選択図】図３
2019112116.tif 000002
【特許請求の範囲】
【請求項１】
中心線に沿って長手方向に配設された平面状で弾力性のあるバンド本体と、前記バンド本体の前記長手方向の両端に配設され、相互に係脱可能な２個の係合部材と、を備え、
前記中心線の中点において前記中心線に直交する幅方向の直線を基準線としたときに、
前記バンド本体は、前記長手方向に配設されたコード支持部と、前記コード支持部の前記幅方向の両側に配設されて前記長手方向に延びる２個のコード押さえ部と、前記コード支持部及び前記２個のコード押さえ部の間に設けられて前記長手方向に延びるスリット状の２個の取付け孔とを有し、
前記コード押さえ部の前記取付け孔との境界に位置する内周縁上の次の３点、前記基準線上の点Ａ、最も前記係合部材に近い点Ｂ、前記点Ａと前記点Ｂとの間に位置する点Ｃから、それぞれ前記基準線に平行にとった前記中心線までの距離ｘを、この順にｘａ、ｘｂ、ｘｃとすると、これらの値が、
ｘａ≧ｘｃ≧ｘｂ（ただし、ｘａ≠ｘｂ）
を満たす、
ことを特徴とする結束バンド。
【請求項２】
前記コード押さえ部の外周縁が、前記内周縁に沿って形成されている、
ことを特徴とする請求項１に記載の結束バンド。
【請求項３】
前記基準線上における前記コード支持部の幅ｙ、前記コード押さえ部の幅ｚとすると、これらの値が、
ｚ×１．５≦ｙ≦ｚ×２．５
を満たす、
ことを特徴とする請求項１又は２に記載の結束バンド。
【発明の詳細な説明】
【技術分野】
【０００１】
本発明は、コードを巻いて束ねる結束バンドに関する。
【背景技術】
【０００２】
従来、電源コード（本願発明のコードに相当）を巻いた状態で束ねるコード結束バンド（本願発明の結束バンドに相当）が、特許文献１に提案されている。
【０００３】
このコード結束バンドは、例えば、裏面が布張りされた軟質塩化ビニール製であるとともに、全体が一様に幅広なバンド構造をなしており、その長手方向一端部にはスリットからなる一対の取付け孔が開けられている。これらの取付け孔には、電源コードが通されており、それによってコード結束バンドは、電源コードに対してこれから容易に外れないように取り付けられている。
【先行技術文献】
【特許文献】
【０００４】
【特許文献１】特開平１１−５６６９０号公報
【発明の概要】
【発明が解決しようとする課題】
【０００５】
しかしながら、上述の特許文献１の発明によると、取付け孔の長さが短いという問題があった。
【０００６】
すなわち、特許文献１の発明では、取付け孔は、既成の電気コードを通し、一端、通した後に、電気コードをその取付け孔から引き抜くということがないため、例えば、電気コードの端部を先に取付け孔に通してから後にプラグを取り付けることができる。これに対して、本願発明は、汎用性を有していて、何を取付け孔に通すかわからないため、全体をコンパクトに構成しつつ、取付け孔は、可及的長くとりたいという要望があった。
【０００７】
本発明は、上述した事情に鑑みてなされたものであり、全体をコンパクトに形成しつつ、取付け孔を長くとることができる結束バンドを提供することを目的とする。
【課題を解決するための手段】
【０００８】
上述の目的を達成するため、本発明に係る結束バンドは、中心線に沿って長手方向に配設された平面状で弾力性のあるバンド本体と、バンド本体の長手方向の両端に配設され、相互に係脱可能な２個の係合部材と、を備え、中心線の中点において中心線に直交する幅方向の直線を基準線としたときに、バンド本体は、長手方向に配設されたコード支持部と、コード支持部の幅方向の両側に配設されて長手方向に延びる２個のコード押さえ部と、コード支持部及び２個のコード押さえ部の間に設けられて長手方向に延びるスリット状の２個の取付け孔とを有し、コード押さえ部の取付け孔との境界に位置する内周縁上の次の３点、基準線上の点Ａ、最も係合部材に近い点Ｂ、点Ａと点Ｂとの間に位置する点Ｃから、それぞれ基準線に平行にとった中心線までの距離ｘを、この順にｘａ、ｘｂ、ｘｃとすると、これらの値が、
ｘａ≧ｘｃ≧ｘｂ（ただし、ｘａ≠ｘｂ）
を満たす、ことを特徴とする。
【発明の効果】
【０００９】
本発明の結束バンドによれば、結束バンドは、２個の係合部材を係合させることにより、平面状で弾力性のあるバンド本体をループ状にすることができる。そして、ループ状にすることにより、例えば、巻き取ったコードを束ねることができる。
【００１０】
また、コード押さえ部の取付け孔との境界に位置する内周縁上の次の３点、基準線上の点Ａ、最も係合部材に近い点Ｂ、点Ａと点Ｂとの間に位置する点Ｃから、それぞれ基準線に平行にとった中心線までの距離ｘを、この順にｘａ、ｘｂ、ｘｃとすると、これらの値が、
ｘａ≧ｘｃ≧ｘｂ（ただし、ｘａ≠ｘｂ）
を満たす。
【００１１】
これにより、例えば、取付け孔が中心線に沿って直線状に形成されている場合と比較して、全体をコンパクトに構成しつつ、実質的な取付け孔の長さを長くとることができる。このため、取付け孔に大きなものを通すことができる。
さらに、ループ状にしたバンド本体には、２個の長い取付け孔が形成されるので、ループ状にした後にも、これら取付け孔に、大きなものを通すことができる。
【００１２】
なお、結束バンドの取付け孔に、バンド本体の平面状あるいはループ状を問わずに大きなものを通すことができるという性状は、何を束ねるかわからず、また、何を取付け孔に通すかわからない本発明、つまり汎用性を有する本発明にとっては、特許文献１の発明とは異なり、極めて重要なものである。
【図面の簡単な説明】
【００１３】
【図１】図１〜図６は実施形態１を説明する図であり、図１は結束バンド１の表面側（正面側）を示す斜視図である。
【図２】結束バンド１の裏面側（背面側）を示す斜視図である。
【図３】（Ａ）は結束バンド１の正面図、（Ｂ）は右側面図、（Ｃ）は背面図である。
【図４】平面状からループ状に変化する結束バンド１の変化途中を示す斜視図である。
【図５】ループ状の結束バンド１を示す正面図である。
【図６】ループ状の結束バンド１の使用状態を説明する図である。
【図７】（Ａ）は実施形態２の結束バンド２の正面図、（Ｂ）は同じく使用状態を説明する図である。
【図８】（Ａ）は実施形態３の結束バンド３の正面図、（Ｂ）は同じく使用状態を説明する図である。
【発明を実施するための形態】
【００１４】
以下、本発明を適用した実施形態を、図面に基づいて詳述する。なお、各図面において、同じ符号を付した部材等は、同一又は類似の構成のものであり、これらについての重複説明は適宜省略するものとする。また、各図面においては、説明に不要な部材等は適宜、図示を省略している。
＜実施形態１＞
図１〜図６を参照して本発明を適用した実施形態１に係る結束バンド１について説明する。
【００１５】
ここで、図１は、結束バンド１の表面側（正面側）を示す斜視図である。また、図２は、結束バンド１の裏面側（背面側）を示す斜視図である。また、図３（Ａ）は、結束バンド１の正面図、図３（Ｂ）は右側面図、図３（Ｃ）は背面図である。
【００１６】
なお、以下の説明では、「ループ状のバンド本体１０」と「ループ状の結束バンド１」とは、同じ意味で使用する。また、結束バンド１が束ねる対象とする部材として、イヤホンコードＣ（以下単にコードＣという。）を例に説明するが、結束バンド１は、一般的なコード等を結束する際にも適用することができる。
図１〜図３に示すように、結束バンド１は、バンド本体１０及び２個の係合部材１４，１４を備えて構成されている。
バンド本体１０は、図３に示すように、中心線Ｍ１に沿って長手方向に配設された平面状で弾力性のある部材である。
【００１７】
ここで、中心線Ｍ１は、２個の係合部材１４，１４のそれぞれの中心を結ぶ直線であり、本実施例では、結束バンド１全体が、この中心線Ｍ１を基準にして、線対称に形成されている。また、後述する基準線Ｍ２は、中心線Ｍ１の中点Ｏを通り、この中心線Ｍ１に直交する直線である。本実施例では、結束バンド１全体が、この基準線Ｍ２を基準として、線対称に形成されている。なお、中心線Ｍ１に沿った方向が長手方向であり、基準線Ｍ２に沿った方向が幅方向である。
バンド本体１０は、例えば、シリコーンゴムによって形成されており、適宜な弾力性を有している。
バンド本体１０は、コード支持部１１、２個のコード押さえ部１２、及びスリット状の２個の取付け孔１３を有している。
【００１８】
このうち、コード支持部１１は、長手方向に配設されている。コード支持部１１は、中心線Ｍ１上に配設されていて、長手方向の両端には、２個の係合部材１４，１４が配設されている。２個のコード押さえ部１２，１２は、コード支持部１１の幅方向の両端に配設されて、長手方向に延びるように形成されている。２個の取付け孔１３，１３は、コード支持部１１及び２個のコード押さえ部１２，１２の間に設けられて長手方向に延びるように形成されている。
【００１９】
上述のコード押さえ部１２は、取付け孔１３との境界に位置する内周縁１２ａが、基準線Ｍ２上において中心線Ｍ１から最も離れ、係合部材１４に近づくに連れて同じか中心線Ｍ１に近づくかに形成されている。
【００２０】
すなわち、コード押さえ部１２の取付け孔１３との境界に位置する内周縁１２ａ上の次の３点、基準線Ｍ２上の点Ａ、最も係合部材１４に近い点Ｂ、点Ａと点Ｂとの間に位置する点Ｃから、それぞれ基準線Ｍ２に平行にとった中心線Ｍ１までの距離ｘを、この順にｘａ、ｘｂ、ｘｃとすると、これらの値が、
ｘａ≧ｘｃ≧ｘｂ（ただし、ｘａ≠ｘｂ）…（１）
を満たす。
【００２１】
さらに、本実施形態においては、コード押さえ部１２は、外側に向かって凸状の「く」字形に形成されている。つまり、コード押さえ部１２の内周縁１２ａは、点Ａで、最も距離ｘａが長く、最も係合部材１４に近い点Ｂで、最も距離ｘｂが短くなり、途中は、ほぼ斜めの線状となっている。
なお、取付け孔１３の上述の条件（１）を満たす他の形状は、実施形態２，３に示す。
また、本実施形態では、コード押さえ部１２の外周縁１２ｂが、内周縁１２ａに沿って形成されている、
すなわち、コード押さえ部１２の外周縁１２ｂは、内周縁１２ａと同様に、外側に向かって凸状の「く」字形に形成されている。
これにより、コード押さえ部１２は、外周縁１２ｂが中心線Ｍ１に対して平行に形成されている場合と比べて、無駄な部分を削除して、見栄えが良くなる。
【００２２】
すなわち、結束バンド１全体は、図３（Ａ）に示すように、バンド本体１０の最小幅をｗ１、係合部材１４の幅をｗ２、バンド部材１０の最大幅をｗ３とすると、これらｗ１、ｗ２、ｗ３の値が、
ｗ１＜ｗ２＜ｗ３
を満たすように、構成されている。
これにより、結束バンド１は、デザイン性に優れ、見栄えがするようになっている。
【００２３】
さらに、本実施形態では、基準線Ｍ２上におけるコード支持部１１の幅をｙ、同じく基準線Ｍ２上におけるコード押さえ部１２の幅をｚとしたときに、これらの値が、
ｚ×１．５≦ｙ≦ｚ×２．５
を満たすように設定されている。
ここで、コード支持部１１の幅ｙ及びコード押さえ部１２の幅ｚが上述のように設定されている理由については、後に、図６を参照して説明する。
なお、バンド本体１０は、上述では、シリコーンで形成された場合を例に説明したが、
シリコーンに限定されず、適宜な弾性力を有するゴムや他の合成樹脂であってもよい。
【００２４】
係合部材１４，１４は、バンド本体１０の長手方向の両端に配設され、相互に係脱可能である。係合部材１４，１４は、円板形のマグネットを、バンド本体１０と同様の素材、例えば、シリコーンゴムによって、包み込むことによって形成されている。上述した通り、２個のマグネットの中心を通る直線が中心線Ｍ１となっている。
なお、係合部材１４，１４は、マグネットに限定されず、凸部と凹部とを有するボタンや係合凸部と係合凹部とを有するフックであってもよい。
【００２５】
図４は、平面状からループ状に変化する結束バンド１の変化途中を示す斜視図である。また、図５は、ループ状の結束バンド１を示す正面図である。また、図６は、ループ状の結束バンド１の使用状態を説明する図である。
【００２６】
図１〜図３に示す結束バンド１は、図４〜図６に示すように、２個のマグネットをくっ付ける（係合させる）ことによって、結束バンド１全体がループ状になる。２個の係合部材１４，１４をくっ付けることにより、バンド本体１０の弾力性に基づいて、バンド本体１０がほぼ円筒のループ状を形成するのである。
【００２７】
結束バンド１は、バンド本体１０がほぼ円筒のループ状を形成することにより、図６に示すように、例えば、巻いたコードＣを束ねる。コードＣを束ねた上、その端部を、２個の取付け孔１３，１３に通す。
【００２８】
２個の取付け孔１３，１３には、例えば、コードＣの端部に取り付けたプラグ（付図示）を通すことができる。プラグを、例えば、右方から右のコード押さえ部１２の下側を通して、右の取付け孔１３に下側から上側に通す。その後、コード支持部１１の上側を通し、左の取付け孔１３に上側から下側に通し、左のコード押さえ部１２の下側を通す。
以上により、コードＣの端部に付いたプラグを取付け孔１３，１３に通すことができる。
上述のように、本実施形態では、基準線Ｍ２上におけるコード支持部１１の幅ｙと、同じく基準線Ｍ２上におけるコード押さえ部１２の幅ｚとの間に、
ｚ×１．５≦ｙ≦ｚ×２．５
が成り立つようにしている。
この点について説明する。
【００２９】
コードＣの端部を２個の取付け孔１３，１３に通すと、図６に示すように、このコードＣから結束バンド１に、コード支持部１１には、下向きに力Ｆがかかり、一方、コード押さえ部１２，１２には、これとは逆に、それぞれ上向きに力Ｆ／２がかかって釣り合う。
ここで、結束バンド１をコンパクトにするには、力（単位長さ当たりの力）が平均的にかかることが必要である。
単位長さ当たりに作用する力は、コード支持部１１がＦ／ｙ、各コード押さえ部１２がＦ／２ｚとなり、両者が等しくなるのは、ｙ＝２ｚのときである。
つまり、コード支持部１１の幅＝コード押さえ部１２の幅の２倍のときである。
これに、余裕を持たせて、本実施形態では、
ｚ×１．５≦ｙ≦ｚ×２．５
とした。
すなわち、
コード押さえ部１２の幅×１．５≦コード支持部１１の幅
≦コード押さえ部１２の幅×２．５…（２）
とした。
【００３０】
なお、図６を見れば明らかなように、コードＣの端部を取付け孔１３，１３に通すときに、図６とは反対に、コード支持部１１がコードＣの上側に位置し、コード押さえ部１２，１２がコードＣの下側に位置する場合が考えられる。この場合であっても、コード支持部１１及びコード押さえ部１２が（２）式を満たす限り、結束バンド１を支障なく使用することができる。
以下、本実施形態の結束バンド１の作用、効果をまとめる。
【００３１】
・本実施形態の結束バンド１によれば、２個の係合部材１４，１４を係合させることにより、平面状で弾力性のあるバンド本体１０をループ状にすることができる。そして、ループ状にすることにより、例えば、巻き取ったコードＣを束ねることができる。
【００３２】
また、コード押さえ部１２の取付け孔１３との境界に位置する内周縁１２ａ上の次の３点、基準線Ｍ２上の点Ａ、最も係合部材１４に近い点Ｂ、点Ａと点Ｂとの間に位置する点Ｃから、それぞれ基準線Ｍ２に平行にとった中心線Ｍ１までの距離ｘを、この順にｘａ、ｘｂ、ｘｃとすると、これらの値が、
ｘａ≧ｘｃ≧ｘｂ（ただし、ｘａ≠ｘｂ）
を満たす。
【００３３】
これにより、例えば、取付け孔１３，１３が中心線Ｍ１に沿って直線状に形成されている場合と比較して、実質的な取付け孔１３，１３の長さを長くとることができる。このため、取付け孔１３，１３に大きなものを通すことができる。
【００３４】
さらに、ループ状にしたバンド本体１０には、２個の長い取付け孔１３，１３が形成されるので、ループ状にした後にも、これら取付け孔１３，１３に、大きなものを通すことができる。
【００３５】
・結束バンド１は、コード押さえ部１２，１２の外周縁１２ｂ，１２ｂが、内周縁１２ａ，１２ａに沿って形成されているので、コード押さえ部１２，１２の幅が、必要以上に広くなることがない。すなわち、コード押さえ部１２，１２の幅を、コード押さえ部１２，１２の長手方向でほぼ同じにして、結束バンド１全体の構成をスマートなものとすることができる。
・結束バンド１は、基準線Ｍ２上におけるコード支持部１１の幅をｙ、コード押さえ部１２の幅をｚとすると、これらの値が、
ｚ×１．５≦ｙ≦ｚ×２．５
を満たすので、コンパクトで、構造的に強いものとすることができる。
＜実施形態２＞
図７（Ａ），（Ｂ）を参照して、実施形態２の結束バンド２について説明する。
【００３６】
ここで、図７（Ａ）は、実施形態２の結束バンド２の正面図、（Ｂ）は同じく使用状態を説明する図である。ただし、バンド本体２０の長手方向の両端の２個の係合部材の図示は省略している。
【００３７】
本実施形態が上述の実施形態１と異なる点は、取付け孔２３，２３の形状が、上述の取付け孔１３，１３とは異なるという点であり、他の点は、実施形態１と同様である。
【００３８】
バンド本体２０は、長手方向に配設されたコード支持部２１、コード支持部２１の幅方向の両側に配設されて長手方向に延びる２個のコード押さえ部２２，２２、及びコード支持部２１と２個のコード押さえ部２２，２２との間に設けられて長手方向に延びるスリット状の２個の取付け孔２３，２３を有している。
【００３９】
そして、コード押さえ部２２は、取付け孔２３との境界に位置する内周縁２２ａが、基準線Ｍ２上において中心線Ｍ１から最も離れ、係合部材（付図示）に近づくに連れて同じか中心線Ｍ１に近づくかに形成されている。
また、本実形態では、取付け孔２３は、外側に凸状の円弧状に形成されている。
さらに、コード押さえ部２２の外周縁２２ｂが内周縁２２ａに沿って形成されている。
本実施形態の結束バンド２は、上述の実施形態１の結束バンド１と同様の効果を奏することができる。
＜実施形態３＞
図８（Ａ），（Ｂ）を参照して、実施形態３の結束バンド３について説明する。
【００４０】
ここで、図８（Ａ）は、実施形態３の結束バンド３の正面図、（Ｂ）は同じく使用状態を説明する図である。ただし、バンド本体３０の長手方向の両端の２個の係合部材の図示は省略している。
【００４１】
本実施形態が上述の実施形態１と異なる点は、取付け孔３３，３３の形状が、上述の取付け孔１３，１３とは異なるという点であり、他の点は、実施形態１と同様である。
【００４２】
バンド本体３０は、長手方向に配設されたコード支持部３１、コード支持部３１の幅方向の両側に配設されて長手方向に延びる２個のコード押さえ部３２，３２、及びコード支持部３１と２個のコード押さえ部３２，３２との間に設けられて長手方向に延びるスリット状の２個の取付け孔３３，３３を有している。
【００４３】
そして、コード押さえ部３２は、取付け孔３３との境界に位置する内周縁３２ａが、基準線Ｍ２上において中心線Ｍ１から最も離れ、係合部材（不図示）に近づくに連れて同じか中心線Ｍ１に近づくかに形成されている。
また、本実形態では、取付け孔３３は、外側に凸状の台形状に形成されている。
さらに、コード押さえ部３２の外周縁３２ｂが内周縁３２ａに沿って形成されている。
本実施形態の結束バンド３は、上述の実施形態１の結束バンド１と同様の効果を奏することができる。
【符号の説明】
【００４４】
１      結束バンド（実施形態１）
２      結束バンド（実施形態２）
３      結束バンド（実施形態３）
１０、２０、３０    バンド本体
１１、２１、３１    コード支持部
１２、２２、３２    コード押さえ部
１２ａ、２２ａ、３２ａ    内周縁
１２ｂ、２２ｂ、３２ｂ    外周縁
１３、２３、３３    取付け孔
１４    係合部材
Ａ      コード押さえ部の内周縁上でかつ基準線Ｍ２上の点
Ｂ      コード押さえ部の内周縁上でかつ最も係合部材に近い点
Ｃ      コード押さえ部の内周縁上でかつ点Ａと点Ｂとの間に位置する点
Ｍ１    中心線
Ｍ２    基準線
ｘ      距離
ｘａ    点Ａから中心線Ｍ１までの距離
ｘｂ    点Ｂから中心線Ｍ１までの距離
ｘｃ    点Ｃから中心線Ｍ１までの距離
ｙ      基準線Ｍ２上のコード支持部の幅
ｚ      基準線Ｍ２上のコード押さえ部の幅
【図１】
2019112116.tif 000003
【図２】
2019112116.tif 000004
【図３】
2019112116.tif 000005
【図４】
2019112116.tif 000006
【図５】
2019112116.tif 000007
【図６】
2019112116.tif 000008
【図７】
2019112116.tif 000009
【図８】
2019112116.tif 000010